(57)【要約】【課題】装置全体の構造を簡単化することができ、容易に組み立てることができるようになる差圧用ドア装置を提供すること。【解決手段】低圧領域と高圧領域との境界箇所に設置されたドア装置１のドアは、幅方向の一方の側端部に取り付けられた第１ヒンジ１３を中心にドア枠２に対して開閉自在となっている第１ドア１１と、この第１ドア１１の幅方向の他方の端部に第２ヒンジ１４を中心に開閉自在に取り付けられた第２ドア１２とからなる。第１ドア１１と第２ドア１２は幅方向に並設されてドア枠２の内側の開口部７に配置されているとともに、第２ドア１２には、ガイド手段３０，４０が設けられ、これらのガイド手段３０，４０を中心とする鉛直軸回りに第２ドア１２は回動自在であり、ガイド手段３０，４０はドア枠２に案内されて幅方向に移動自在となっている。【選択図】図１
2015071863.tif 000002
【特許請求の範囲】
【請求項１】
低圧領域と高圧領域との境界箇所に設置されたドア装置であって、ドア枠の内側に形成された開口部にドアが開閉自在に配置されている差圧用ドア装置において、
前記ドアは、幅方向の一方の側端部に取り付けられた第１ヒンジを中心に前記ドア枠に対して開閉自在となっている第１ドアと、この第１ドアの幅方向の他方の端部に第２ヒンジを中心に回動自在に取り付けられた第２ドアとからなり、これらの第１ドアと第２ドアは前記幅方向に並設されており、前記第２ドアには、前記ドア枠に案内されて前記幅方向へ移動自在となっているガイド手段が設けられているとともに、前記第２ドアはこのガイド手段を中心とする鉛直軸回りに回動自在となっていることを特徴とする差圧用ドア装置。
【請求項２】
請求項１に記載の差圧用ドア装置において、前記第２ドアにおける前記第１ドアとは反対側の側端部には、この第２ドアに設けられた操作部材により前記ドア枠に係脱するラッチ部材が設けられ、このラッチ部材を前記操作部材の操作で前記ドア枠から離脱させることにより、前記第２ドアは、この第２ドアにおける前記ラッチ部材が設けられている前記側端部が前記高圧領域側へ移動する開き回動可能となっていることを特徴とする差圧用ドア装置。
【請求項３】
請求項２に記載の差圧用ドア装置において、前記第２ドアにおける前記ラッチ部材が設けられている前記側端部は、前記ドア枠に対し前記高圧領域側へのみ移動可能となっていることを特徴とする差圧用ドア装置。
【請求項４】
請求項２又は３に記載の差圧用ドア装置において、前記第１ドアの前記幅方向の寸法と、前記第２ドアにおける前記第２ヒンジから前記ガイド手段までの幅寸法との合計寸法は、前記第２ドアにおける前記ガイド手段から前記ラッチ部材が設けられている前記側端部までの幅寸法と同じ又は略同じになっていることを特徴とする差圧用ドア装置。
【請求項５】
請求項２又は３に記載の差圧用ドア装置において、前記第１ドアの前記幅方向の寸法と、前記第２ドアにおける前記第２ヒンジから前記ガイド手段までの幅寸法との合計寸法は、前記第２ドアにおける前記ガイド手段から前記ラッチ部材が設けられている前記側端部までの幅寸法よりも大きくなっていることを特徴とする差圧用ドア装置。
【請求項６】
請求項１〜５のいずれかに記載の差圧用ドア装置において、前記第２ヒンジについての前記第１及び第２ドアの幅方向における位置は、前記第１ドアの前記幅方向の寸法と、前記第２ドアにおける前記第２ヒンジから前記ガイド手段までの幅寸法との合計の幅寸法の半分又は略半分の位置になっていることを特徴とする差圧用ドア装置。
【請求項７】
請求項１〜６のいずれかに記載の差圧用ドア装置において、前記ガイド手段は、前記第２ドアの上部と下部の二箇所に設けられていることを特徴とする差圧用ドア装置。
【請求項８】
請求項１〜７のいずれかに記載の差圧用ドア装置において、前記第２ドアを前記第１ドアに対し閉じ方向へ常時回動付勢するための回動付勢手段を備えていることを特徴とする差圧用ドア装置。
【請求項９】
請求項１〜８のいずれかに記載の差圧用ドア装置において、前記第１ドアを前記ドア枠に対し閉じ方向へ常時回動付勢するための回動付勢手段を備えていることを特徴とする差圧用ドア装置。
【請求項１０】
請求項１〜９のいずれかに記載の差圧用ドア装置において、前記第１ドアと前記第２ドアのうち、少なくとも一方には、前記第１ドアと前記第２ドアとの間の隙間を、これらの第１ドア及び第２ドアの厚さ方向と角度をなす部分を有するものとする遮蔽部が設けられていることを特徴とする差圧用ドア装置。
【発明の詳細な説明】
【技術分野】
【０００１】
本発明は、建物等の構造物内で高圧と低圧の差圧が生じてもドアを開くことができる差圧用ドア装置に係り、例えば、防火区画を形成するための防火扉装置として利用できるものである。
【背景技術】
【０００２】
建物や地下街等の構造物内に防火区画を形成する場合には、２つの空間（第１及び第２空間）を出入り可能に仕切るために防火扉装置が設置される。これらの空間のうち、一方の空間、例えば、第１空間で火災が生じたときにはこの第１空間の煙が排煙装置で排出されるため、第１空間は低圧領域となり、第２空間は高圧領域となる。また、第１空間の煙が第２空間へ流出することを防止するために第２空間に空気供給装置で空気を送り込んだときにも、第１空間は低圧領域となり、第２空間は高圧領域となる。
【０００３】
このように低圧領域と高圧領域との境界箇所に設置されるドア装置であって、ドア枠の内側に形成された開口部にドアが開閉自在に配置される差圧用ドア装置となっている防火扉装置について、低圧領域に居た人が扉を高圧領域へ開いてこの高圧領域に脱出しようとしたときに、差圧によってドアを開くことが困難になるため、下記の特許文献１には、このような問題を解決できる技術が示されている。
【０００４】
特許文献１に示されている差圧用ドア装置は、ドア枠の内側の開口部に親ドアが配置され、この親ドアは、幅方向の一方の側端部に取り付けられたヒンジを中心にドア枠に対して開閉自在となっているとともに、親ドアには、幅方向の他方の側端部まで達する欠部が高さ方向の途中部に形成されており、この欠部に、子ドアが上下方向を軸方向とする中心軸を中心に回動自在に配置され、中心軸は子ドアの幅方向中央部からずれた位置に設けられている。また、子ドアには、ドア枠に対し係脱する第１ラッチ部材と、親ドアに対し係脱する第２ラッチ部材とが設けられ、子ドアに設けられている操作部材を操作すると、ドア枠と親ドアに係止していたそれぞれのラッチ部材が離脱し、このため、差圧により子ドアが中心軸を中心に回動して高圧領域の空気が低圧領域へ流出し、これにより、低圧領域と高圧領域の圧力差が小さくなり、親ドアを高圧領域側へ開くことができる。
【先行技術文献】
【特許文献】
【０００５】
【特許文献１】特開平７−２５９４０７号公報（００２０段落〜００２６段落、図１）
【発明の概要】
【発明が解決しようとする課題】
【０００６】
しかし、特許文献１の差圧用ドア装置によると、幅方向の一方の側端部に取り付けられたヒンジを中心にドア枠に対して開閉自在となっている親ドアに、幅方向の他方の側端部まで達する欠部を高さ方向の途中部に形成し、この欠部に、上下方向を軸方向とする中心軸を中心に子ドアを回動自在に配置しなければならず、また、子ドアに、操作部材の操作によりドア枠に対し係脱する第１ラッチ部材と、親ドアに対し係脱する第２ラッチ部材とを設けなければならず、これによると、装置全体の構造が複雑となり、組立作業に多くの手間がかかることになる。
【０００７】
本発明の目的は、装置全体の構造を簡単化することができ、容易に組み立てることができるようになる差圧用ドア装置を提供するところにある。
【課題を解決するための手段】
【０００８】
本発明に係る差圧用ドア装置は、低圧領域と高圧領域との境界箇所に設置されたドア装置であって、ドア枠の内側に形成された開口部にドアが開閉自在に配置されている差圧用ドア装置において、前記ドアは、幅方向の一方の側端部に取り付けられた第１ヒンジを中心に前記ドア枠に対して開閉自在となっている第１ドアと、この第１ドアの幅方向の他方の端部に第２ヒンジを中心に回動自在に取り付けられた第２ドアとからなり、これらの第１ドアと第２ドアは前記幅方向に並設されており、前記第２ドアには、前記ドア枠に案内されて前記幅方向へ移動自在となっているガイド手段が設けられているとともに、前記第２ドアはこのガイド手段を中心とする鉛直軸回りに回動自在となっていることを特徴とするものである。
【０００９】
この差圧用ドア装置では、第１ドア及び第２ドアの高圧領域側に向いている面には高圧の圧力による荷重が作用するが、第１ドアに対し第２ヒンジを中心に回動自在に自在となっている第２ドアは、ガイド手段を中心とする鉛直軸回りに回動自在となっているため、第２ドアのうち、ガイド手段から第１ドアとは反対側の側端部までの幅寸法内の部分に作用する高圧領域の圧力による荷重は、第２ドアを、ガイド手段を中心に第２ドアにおける第１ドアとは反対側の側端部を低圧領域側へ移動させようとする回動力となるが、第１ドアに作用する高圧領域側の圧力による荷重と、第２ドアのうち、第２ヒンジからガイド手段までの幅寸法内の部分に作用する高圧領域の圧力による荷重は、第２ドアを、ガイド手段を中心に第２ドアにおける第１ドアとは反対側の側端部を高圧領域側へ移動しようとする回動力となる。このため、第１ドア及び第２ドアの高圧領域側に向いている面に高圧の圧力が作用していても、低圧領域側に居た人が高圧領域側へ移動できるようにするために、第２ドアにおける第１ドアとは反対側の側端部を高圧領域側へ移動させて第２ドアの開き回動を開始させることを容易に行えることになり、これにより、高圧領域と低圧領域を連通させて両領域間の圧力差を小さくでき、その後に第２ドアに大きな開き回動を行わせる操作も容易に行えるようになる。
【００１０】
そして、この差圧用ドア装置は、幅方向の一方の側端部に取り付けられた第１ヒンジを中心にドア枠に対して開閉自在となっている第１ドアと、この第１ドアと幅方向に並設され、第１ドアの幅方向の他方の端部に第２ヒンジを中心に回動自在に取り付けられた第２ドアと、第２ドアに設けられ、ドア枠に案内されて幅方向へ移動自在となっているガイド手段とが構成要素となって構成されており、このため、装置全体の構造が簡単化され、また、装置全体を容易に組み立てることができる。
【００１１】
以上の本発明に係る差圧用ドア装置において、第２ドアにおける第１ドアとは反対側の側端部に、第２ドアに設けられた操作部材によりドア枠に係脱するラッチ部材を設け、このラッチ部材を操作部材の操作でドア枠から離脱させることにより、第２ドアを、この第２ドアにおけるラッチ部材が設けられている側端部が高圧領域側へ移動する開き回動可能としてもよい。
【００１２】
これによると、ラッチ部材をドア枠から離脱させる操作を操作部材によって行うことにより、第２ドアにおけるラッチ部材が設けられている側端部が高圧領域側へ移動する開き回動を第２ドアに行わせることができるようになる。
【００１３】
このように本発明に係る差圧用ドア装置を構成する場合には、第２ドアにおけるラッチ部材が設けられている側端部を、ドア枠に対し高圧領域側と低圧領域側のどちらにも移動可能としてもよく、あるいは、ドア枠に対し高圧領域側へのみ移動可能としてもよい。
【００１４】
第２ドアにおけるラッチ部材が設けられている側端部を、ドア枠に対し高圧領域側へのみ移動可能とするためには、ドア枠に、このドア枠に対して高圧領域側から閉じ位置に達した第２ドアに当接する戸当り部を設けてもよく、あるいは、第２ドアに、この第２ドアがドア枠に対して高圧領域側から閉じ位置に達したときにドア枠に当接する戸当り部を設けてもよい。
【００１５】
また、第１ドアの幅方向の寸法と、第２ドアにおける第２ヒンジからガイド手段までの幅寸法との合計寸法を、第２ドアにおけるガイド手段からラッチ部材が設けられている側端部までの幅寸法と同じ又は略同じにしてもよい。
【００１６】
これによると、第１ドアに作用する高圧領域側の圧力による荷重と、第２ドアのうち、第２ヒンジからガイド手段までの幅寸法内の部分に作用する高圧領域の圧力による荷重との合計値と、第２ドアのうち、ガイド手段から第１ドアとは反対側の側端部までの幅寸法内の部分に作用する高圧領域の圧力による荷重とが同じ又は略同じになり、このため、ラッチ部材をドア枠から離脱させる操作を操作部材によって行い、低圧領域側からこの操作部材に殆ど押し力を作用させなくても、第２ドアに、第２ドアにおけるラッチ部材が設けられている側端部を高圧領域側へ移動させる開き回動を行わせることができる。
【００１７】
また、第１ドアの幅方向の寸法と、第２ドアにおける第２ヒンジからガイド手段までの幅寸法との合計寸法を、第２ドアにおけるガイド手段からラッチ部材が設けられている側端部までの幅寸法よりも大きくしてもよい。
【００１８】
これによると、第１ドアに作用する高圧領域側の圧力による荷重と、第２ドアのうち、第２ヒンジからガイド手段までの幅寸法内の部分に作用する高圧領域の圧力による荷重との合計値は、第２ドアのうち、ガイド手段から第１ドアとは反対側の側端部までの幅寸法内の部分に作用する高圧領域の圧力による荷重よりも大きくなり、このため、ラッチ部材をドア枠から離脱させる操作を操作部材によって行うことにより、自ずと第２ドアに、第２ドアにおけるラッチ部材が設けられている側端部を高圧領域側へ移動させる開き回動を行わせることができるようになる。
【００１９】
また、第２ヒンジについての第１及び第２ドアの幅方向における位置は、第１ドアの幅方向の寸法と、第２ドアにおける第２ヒンジからガイド手段までの幅寸法との合計の幅寸法の半分又は略半分の位置にすることが好ましい。
【００２０】
これによると、第１及び第２ドアを大きく開き回動させることができて、ドア枠の内側の開口部の開口幅を充分に大きくすることができる。
【００２１】
さらに、本発明において、前記ガイド手段は、第２ドアの上部と下部のうち、一方だけに設けてもよいが、第２ドアの上部と下部の二箇所に設けることが好ましい。
【００２２】
これによると、第２ドアに作用する高圧領域の圧力を二箇所のガイド手段で受けることができるとともに、ガイド手段を中心とする鉛直軸回りの第２ドアの回動を一層確実に行わせることができる。
【００２３】
また、本発明に係る差圧用ドア装置には、第２ドアを第１ドアに対し閉じ方向へ常時回動付勢するための回動付勢手段を設けてもよい。
【００２４】
これによると、第２ドアに、第２ドアにおけるラッチ部材が設けられている側端部を高圧領域側へ移動させる開き回動を行わせることにより、低圧領域側に居た人が高圧領域側へ移動した後に、第２ドアを回動付勢手段により第１ドアに対し自動的に閉じ方向へ回動させることができる。
【００２５】
なお、上記回動付勢手段は、前記第２ヒンジをオートヒンジとすることにより、この第２ヒンジ自体を回動付勢手段とすることでもよく、あるいは、上記回動付勢手段を第１ドアと第２ドアとの間に架設されたドアクローザとしてもよい。
【００２６】
また、本発明に係る差圧用ドア装置には、第１ドアをドア枠に対し閉じ方向へ常時回動付勢するための回動付勢手段を設けてもよい。
【００２７】
これによると、第２ドアに、第２ドアにおけるラッチ部材が設けられている側端部を高圧領域側へ移動させる開き回動を行わせることにより、低圧領域側に居た人が高圧領域側へ移動した後に、第１ドアを回動付勢手段によりドア枠に対し自動的に閉じ方向へ回動させることができる。
【００２８】
なお、上記回動付勢手段は、前記第１ヒンジをオートヒンジとすることにより、この第１ヒンジ自体を回動付勢手段とすることでもよく、あるいは、上記回動付勢手段を第１ドアとドア枠との間に架設されたドアクローザとしてもよく、あるいは、第１ヒンジをフロアヒンジとすることにより、上記回動付勢手段をこのフロアヒンジとしてもよい。
【００２９】
さらに、第１ドアと第２ドアのうち、少なくとも一方には、第１ドアと第２ドアとの間の隙間を、これらの第１ドア及び第２ドアの厚さ方向と、例えば、９０度や９０度以外の角度をなす部分を有するものとする遮蔽部を設けてもよい。
【００３０】
これによると、火災の発生時において、煙が第１ドアと第２ドアとの間の隙間を通って低圧領域側から高圧領域側へ流出することを遮蔽部により抑制することができる。
【００３１】
以上説明した本発明に係る差圧用ドア装置において、高圧領域と低圧領域の圧力差は、火災で生じた煙が排煙装置で排出されたり、前述の空気供給装置で空気が供給されたりすることによって生ずる気圧差でもよく、あるいは、大雨により侵入した水又は火災を鎮火するために放水された水による水圧差でもよく、あるいは、これらの気圧差と水圧差の合計によるものでもよい。
【発明の効果】
【００３２】
本発明によると、差圧用ドア装置の装置全体の構造を簡単化することができ、また、差圧用ドア装置を容易に組み立てることができるという効果を得られる。
【図面の簡単な説明】
【００３３】
【図１】図１は、本発明の一実施形態に係る差圧用ドア装置の全体を示す正面図である。
【図２】図２は、図１の差圧用ドア装置を、ドア枠の上枠と下枠とを断面図として示した一部省略の側面図である。
【図３】図３は、図１の差圧用ドア装置を、壁とドア枠の左右の側枠とを断面図として示した平面図である。
【図４】図４は、第２ドアが開き回動を開始したときを示す図３と同様の図である。
【図５】図５は、第２ドアの開き回動が進行した後を示す図３と同様の図である。
【発明を実施するための形態】
【００３４】
以下に本発明を実施するための形態を図面に基づいて説明する。図１には、本発明の一実施形態に係るドア装置１の全体正面図が示されている。本実施形態のドア枠２は、上枠３と、下枠４と、左右の側枠５，６からなる四方枠となっている。本発明は、ドア枠が、下枠４が省略された三方枠となっている場合にも適用できる。
【００３５】
ドア枠２の内側は人等が出入りする開口部７であり、この開口部７には、それぞれ防火性、耐火性を有している第１ドア１１と第２ドア１２が、左右方向である幅方向に並設されて配置されており、これらの第１ドア１１と第２ドア１２は、開口部７の上下寸法と対応する高さ寸法を有する。第１ドア１１は、図１において、この第１ドア１１の左右の側端部のうち、右の側端部に取り付けられた第１ヒンジ１３によってドア枠２の側枠５に連結され、このため、第１ドア１１は、第１ヒンジ１３を中心にドア枠２に対して開閉自在となっている。また、第２ドア１２は、第１ドア１１の左右の側端部のうち、左の側端部に取り付けられた第２ヒンジ１４によって第１ドア１１に連結され、このため、第２ドア１２は、第２ヒンジ１４を中心に第１ドア１１に対して開閉自在、言い換えると、回動自在となっている。
【００３６】
第１ドア１１と第２ドア１２の合計幅寸法は、開口部７の幅寸法と対応するものになっているが、第１ドア１１の幅寸法と第２ドア１２の幅寸法は、同じになっておらず、第２ドア１２の幅寸法は、第１ドア１１の幅寸法よりも大きい。
【００３７】
第２ドア１２には、この第２ドア１２を開閉操作する際に用いられる操作部材となっているドアノブ１５と、このドアノブ１５の回動操作が運動変換機構１６により直線移動に変換されるラッチ部材１７とが設けられており、このラッチ部材１７は、第２ドア１２における第１ドア１１とは反対側の側端部１２Ａに設けられている。ドア枠２の側枠６には、ラッチ部材１７が挿入、係合されて、このラッチ部材１７を受けるためのラッチ受け部材１８が設けられており、通常時は側枠６側へ前進しているラッチ部材１７がラッチ受け部材１８で受けられることにより、ラッチ部材１７はドア枠２に係止され、ドアノブ１５の回動操作でラッチ部材１７が第２ドア１２側へ後退してラッチ受け部材１８から抜け出ることにより、ラッチ部材１７はドア枠２から離脱する。
【００３８】
なお、第２ドア１２には、この第２ドア１２が第２ヒンジ１４を中心に第１ドア１１や側枠６に対して回動することを阻止するための施錠装置を設けてもよく、ラッチ部材１７は、この施錠装置を構成する部材としてもよい。
【００３９】
図２は、ドア装置１について、ドア枠２の上枠３と下枠４とを断面図として示した一部省略の側面図である。この図２に示されているように、上枠３と下枠４は、内部に空間部３Ａ，４Ａが設けられたリップ付きチャンネル形状又はリップ付き略チャンネル形状の部材である。図１に示されているように、第２ドア１２の上部には、この第２ドア１２の幅方向両側の側端部の間において、ガイド手段３０が設けられており、このガイド手段３０は、図２に示されているように、上下方向を軸方向とする中心軸３１と、この中心軸３１に取り付けられ、第２ドア１２の厚さ方向が軸方向となっている支持軸３２と、この支持軸３２の両端に、上下方向を回転方向にして回転自在に支持されたローラ３３とを有するものである。また、図１に示されているように、第２ドア１２の下部には、この第２ドア１２の幅方向両側の側端部の間であって、ガイド手段３０の配置位置と対応する位置において、ガイド手段４０が設けられており、このガイド手段４０は、図２に示されているように、上下方向を軸方向とする中心軸４１と、この中心軸３１に、水平方向を回転方向にして回転自在に取り付けられたローラ４３とを有するものである。
【００４０】
これらのガイド手段３０，４０のローラ３３，４３は上枠３、下枠４の空間部３Ａ，４Ａに収納され、このため、第２ドア１２の重量はローラ３３を介して上枠３によって支持されており、また、空間部３Ａ，４Ａは上枠３、下枠４の全長に渡って連続しているため、ガイド手段３０，４０は、上枠３、下枠４に案内されてドア枠２に対し幅方向（図１の左右方向）に移動自在となっており、これにより、第２ドア１２もドア枠２に対し幅方向に移動自在となっている。また、それぞれの中心軸３１，４２は第２ドア１２に対して回動自在となっているため、第２ドア１２は、２個のガイド手段３０，４０の中心軸３１，４１を中心とする鉛直軸回りに回動自在である。
【００４１】
図３は、図１のドア装置１を、このドア装置１が配置されている壁１９と、ドア枠２の左右の側枠５，６とを断面図として示した一部省略の平面図である。ドア装置１は、コンクリート等で形成されている壁１９と共に建物内の防火区画を形成しており、ドア装置１と壁１９とで区画されている２つの空間Ａ，Ｂのうち、空間Ａは、例えば、建物内の通路（後述の高圧領域）であり、空間Ｂは、この建物内の部屋（後述の低圧領域）である。第２ドア１２のドアノブ１５は、２つの空間Ａ，Ｂに向いている第２ドア１２の両方の面に設けられている。
【００４２】
図３に示されているように、ドア枠２の側枠６には、第２ドア１２におけるラッチ部材１７が設けられている側端部１２Ａが空間Ａ側から閉じ移動したときに第２ドア１２に当接することにより、側端部１２Ａが空間Ｂ側へ移動することを阻止するための戸当り部２０が設けられ、このため、側端部１２Ａは、ドア枠２に対して空間Ａ側へのみ移動できるようになっている。また、第２ヒンジ１４は、ヒンジ本体の内部にばね等の弾性部材が内蔵されたオートヒンジであり、このため、第２ヒンジ１４は、第２ドア１２に第１ドア１１に対して常時閉じ方向への回動力を付与するための回動付勢手段となっている。
【００４３】
さらに、図３に示されているように、ドア枠２の側枠５には、第１ドア１１が第１ヒンジ１３を中心に空間Ｂ側から閉じ回動したときに第１ドア１１に当接することにより、第１ドア１１が第１ヒンジ１３を中心に空間Ａ側へ回動することを阻止するための戸当り部２１が設けられ、このため、第１ドア１１は、第１ヒンジ１３を中心にドア枠２に対して空間Ｂ側へのみ開き回動を行うようになっている。
【００４４】
また、第１ヒンジ１３も、ヒンジ本体の内部にばね等の弾性部材が内蔵されたオートヒンジであり、このため、第１ヒンジ１３は、第１ドア１１にドア枠２に対し常時閉じ方向への回動付勢力を付与するための回動付勢手段となっている。
【００４５】
なお、戸当り部２０，２１は、ドア枠２を構成する側枠５，６に取り付けた戸当り部材によるものでもよく、また、このような戸当り部は、ドア枠２を構成する上枠３に設けてもよく、さらに、ドア枠２を構成する部材ではなく、第１ドア１１、第２ドア１２に設けてもよい。
【００４６】
また、本実施形態では、図３に示されているように、第２ヒンジ１４を介して互いに幅方向に対面している第１ドア１１と第２ドア１２の幅方向の端部には、これらの第１ドア１１と第２ドア１２との間の隙間Ｓを、第１ドア１１及び第２ドア１２の厚さ方向と角度をなす部分Ｓ１を有するものとする遮蔽部１１Ｂ，１２Ｂが、第１ドア１１と第２ドア１２の一部として設けられている。本実施形態における隙間Ｓの部分Ｓ１は、第１ドア１１及び第２ドア１２の厚さ方向と９０度の角度をなすものであり、第１ドア１１の遮蔽部１１Ｂは、２つの空間Ａ，Ｂのうち、空間Ｂ側において、第２ドア１２側へ突出する突出部となっており、第２ドア１２の遮蔽部１２Ｂは、２つの空間Ａ，Ｂのうち、空間Ａ側において、第１ドア１１側へ突出する突出部となっており、これらの遮蔽部１１Ｂ，１２Ｂは、第１ドア１１及び第２ドア１２の厚さ方向に隙間Ｓの部分Ｓ１をあけて対面している。
【００４７】
なお、このような遮蔽部１１Ｂ，１２Ｂは、第１ドア１１及び第２ドア１２に取り付けた部材により第１ドア１１及び第２ドア１２に設けてもよい。
【００４８】
図３において、空間Ｂにおいて火災が発生すると、この空間Ｂから図示外の排煙装置によって煙が排出されるため、空間Ｂの気圧は空間Ａの気圧よりも低下し、このため、空間Ｂは低圧領域となって、空間Ａは高圧領域となる。このため、本実施形態に係るドア装置１は、これらの低圧領域と高圧領域との境界箇所に設置された防火性、耐火性を有する差圧用ドア装置となる。このため、第１ドア１１及び第２ドア１２の空間Ａに向いている面には、高圧の圧力が作用する。
【００４９】
また、前述したように、第２ドア１２は、第１ドア１１に対し第２ヒンジ１４を中心に回動自在となっているとともに、ガイド手段３０，４０を中心とする鉛直軸回りに回動自在となっている。図１において、第１ドア１１の幅方向の寸法と、第２ドア１２における第２ヒンジ１４からガイド手段３０，４０までの幅寸法との合計の幅寸法は、Ｗ１であり、第２ドア１２におけるガイド手段３０，４０からラッチ部材１７が設けられている側端部１２Ａまでの幅寸法は、Ｗ２である。
【００５０】
空間Ｂにおいて火災が発生して、上述のようにこの空間Ｂが低圧領域となり、空間Ａが高圧領域となったときには、幅寸法Ｗ２の部分に作用する高圧の圧力による荷重は、ガイド手段３０，４０を中心に第２ドア１２の側端部１２Ａを空間Ｂ側へ移動させようとする第２ドア１２の回動力となるが、幅寸法Ｗ１の部分に作用する高圧の圧力による荷重は、ガイド手段３０，４０を中心に第２ドア１２の側端部１２Ａを空間Ａ側へ移動しようとする第２ドア１２の回動力となる。そして、空間Ｂに居た人が空間Ａへ脱出するためには、この人は、第２ドア１２に設けられているドアノブ１５を回動操作し、第２ドア１２に設けられているラッチ部材１７を後退させ、このラッチ部材１７をドア枠２から離脱させることを行う。
【００５１】
この後に、前記人が空間Ｂから空間Ａに脱出するためには、この人は第２ドア１２の側端部１２Ａを空間Ａ側へ移動させる操作を行わなければならないが、この操作は、本実施形態によると、幅寸法Ｗ１の部分に作用している上述の圧力による荷重と、幅寸法Ｗ２の部分に作用している上述の圧力による荷重との差に応じた押し力をドアノブ１５に作用することによって行え、この押し力は、上述の２つの圧力による荷重の合計ではなくて、これらの圧力による荷重の差に応じた小さいのものでよいため、上述の操作を容易に行える。
【００５２】
図４は、空間Ｂに居た人がドアノブ１５に押し力を作用させることにより、第２ドア１２が、この第２ドア１２の側端部１２Ａが空間Ａ側へ移動する開き回動を開始したときを示しており、この開き回動は、ガイド手段３０，４０を中心とする鉛直軸回りに第２ドア１２が回動することと、ガイド手段３０，４０がドア枠２の上枠３、下枠４に案内されて側枠５側へ移動することと、第２ドア１２が第２ヒンジ１４を中心に第１ドア１１に対し開き回動することと、第１ドア１１が第１ヒンジ１３を中心に空間Ｂ側へ開き回動することとにより、行われている。
【００５３】
このように第２ドア１２の側端部１２Ａが空間Ａ側へ移動すると、空間Ａと空間Ｂが連通して空間Ａの空気が空間Ｂに流出するため、２つの空間Ａ，Ｂの気圧の圧力差は小さくなり、このため、この後も、前記人がドアノブ１５に小さな押し力を作用するだけにより、図５に示されているように、第２ドア１２の側端部１２Ａを空間Ａ側へ大きく移動させることができ、これにより、第１ドア１１及び第２ドア１２は大きく開き回動して、前記人は空間Ｂから空間Ａに脱出することができる。
【００５４】
以上のように前記人が空間Ｂから空間Ａに脱出して第２ドア１２に空間Ａ側へ作用する人為的操作力がなくなると、第１ドア１１と第２ドア１２を連結している第２ヒンジ１４は、前述した回動付勢手段となっているオートヒンジであるため、第２ドア１２は第１ドア１１に対して自動的に閉じ回動し、また、第１ドア１１とドア枠２を連結している第１ヒンジ１３も、前述した回動付勢手段となっているオートヒンジであるため、第１ドア１１はドア枠２に対して自動的に閉じ回動し、これにより、第２ドア１２は、ラッチ部材１７が設けられている側端部１２Ａがドア枠２の側枠６に設けられている戸当り部２０に当接する全閉状態となるとともに、第１ドア１１も、第１ヒンジ１３が取り付けられている側端部がドア枠２の側枠５に設けられている戸当り部２１に当接する全閉状態となり、２つのドア１１，１２は、ドア枠２の内側の開口部７を閉じていたもとの状態に復帰する。
【００５５】
この復帰は、ガイド手段３０，４０を中心として鉛直軸回りに第２ドア１２が前述とは反対側へ回動することと、ガイド手段３０，４０がドア枠２の上枠３、下枠４に案内されて側枠６側へ移動することと、第２ドア１２が第２ヒンジ１４を中心に第１ドア１１に対し閉じ回動することと、第１ドア１１が第１ヒンジ１３を中心に空間Ａ側へ閉じ回動することとにより、行われる。
【００５６】
このため、空間Ｂに居た上述の人が空間Ａに脱出した後は、２つの空間Ａ，Ｂは第１ドア１１と第２ドア１２により遮断されることになり、これにより、空間Ｂの煙が空間Ａへ流出することを有効に防止できる。
【００５７】
以上説明した本実施形態によると、ドア枠２の内側に形成されている開口部７に配置されているドアは、第１ドア１１と第２ドア１２であり、第１ドア１１は、この第１ドア１１の幅方向の一方の側端部に取り付けられる第１ヒンジ１３を中心にドア枠２に対して開閉自在に取り付ければよく、第２ドア１２は、第１ドア１１の幅方向の他方の側端部に取り付けられる第２ヒンジ１４を中心に第１ドア１１に対して開閉自在に取り付ければよいため、装置全体の構造を簡単化することができ、また、容易に組み立てることもできる。
【００５８】
また、第２ドア１２に設けられたドアノブ１５と、このドアノブ１５でドア枠２に対して係脱するラッチ部材１７は、一般のドア装置に設けられているものと同じでよいため、この点でも、装置全体の構造を簡単化と、組み立ての容易化を図ることができる。
【００５９】
さらに、第１ドア１１と第２ドア１２は、開口部７の上下寸法と対応する高さ寸法を有するものとなっていて、これらのドア１１，１２の高さ寸法は同じであるため、この点でも、装置全体の構造が簡単化され、組み立ての容易化を実現できる。
【００６０】
また、第１ドア１１と第２ドア１２には、これらのドア１１，１２の間の隙間Ｓを、これらのドア１１，１２の厚さ方向と角度をなす部分Ｓ１を有するものとする遮蔽部１１Ｂ，１２Ｂが設けられているため、空間Ｂでの火災による煙が隙間Ｓを通って空間Ａへ流出することを抑制できる。
【００６１】
なお、本実施形態における第１ドア１１と第２ドア１２の遮蔽部１１Ｂ，１２Ｂは、これらのドア１１，１２が図４及び図５に示されているように開き回動する際に互いに干渉することはなく、ドア１１，１２を所定どおり開き回動させることができる。
【００６２】
第１ドア１１と第２ドア１２に設ける遮蔽部は、図示の遮蔽部１１Ｂ，１２Ｂに限定されず、遮蔽部を、例えば、ゴム等の弾性部材で形成されたものとし、これにより、ドア枠２の内側の開口部７が第１ドア１１と第２ドア１２で閉じられたときに、遮蔽部同士が互いに弾性的に密着するものでもよい。
【００６３】
さらに、本実施形態では、ドア枠２に案内されて幅方向に移動自在に第２ドア１２に設けられているガイド手段３０，４０は、第２ドア１２の上部と下部の二箇所に設けられているため、第２ドア１２に作用する空間Ａの高圧の圧力をこれらのガイド手段３０，４０で有効に受けることができるとともに、ガイド手段３０，４０を中心とする鉛直軸回りの第２ドア１２の回動を一層確実に行わせることができる。
【００６４】
なお、上部のガイド手段３０についても、下部のガイド手段４０のローラ４３と同様に、水平方向を回転方向とするローラを設けることにより、両方のガイド手段３０，４０に設けられた水平方向を回転方向とするローラを介して、第２ドア１２に作用する空間Ａの高圧の圧力をドア枠２の上枠３と下枠４で受けながら、これらのローラにより、ガイド手段３０，４０を、上枠３と下枠の長さ方向であって図１の左右方向でもある前述に幅方向に移動させることができる。
【００６５】
また、図１で示した幅寸法Ｗ１を幅寸法Ｗ２と同じ又は略同じにしてもよく、すなわち、第１ドア１１の幅方向の寸法と、第２ドア１２における第２ヒンジ１４からガイド手段３０，４０までの幅寸法との合計の幅寸法Ｗ１を、第２ドア１２におけるガイド手段３０，４０からラッチ部材１７が設けられている側端部１２Ａまでの幅寸法Ｗ２と同じ又は略同じにしてもよい。これによると、幅寸法Ｗ１の部分に作用する圧力による荷重と、幅寸法Ｗ２の部分に作用する圧力による荷重とが、同じ又は略同じ大きさになるため、ドアノブ１５の操作によりラッチ部材１７をドア枠２の側枠６のラッチ受け部材１８から離脱させた後に、このドアノブ１５に殆ど押し力を作用させなくても、第２ドア１２に、この第２ドア１２の側端部１２Ａが空間Ａ側へ移動する開き回動を行わせることができる。
【００６６】
さらに、図１で示した幅寸法Ｗ１を幅寸法Ｗ２よりも大きくしてもよい。これによると、幅寸法Ｗ１の部分に作用する圧力による荷重は、幅寸法Ｗ２の部分に作用する圧力による荷重よりも大きくなるため、ドアノブ１５の操作によりラッチ部材１７をドア枠２の側枠６のラッチ受け部材１８から離脱させると同時に、自ずと第２ドア１２に、この第２ドア１２の側端部１２Ａが空間Ａ側へ移動する開き回動を行わせることができる。
【００６７】
また、第１ドア１１と第２ドア１２とを連結している第２ヒンジ１４についての第１及び第２ドア１１，１２の幅方向における位置を、第１ドア１１の幅方向の寸法と、第２ドア１２における第２ヒンジ１４からガイド手段３０，４０までの幅寸法との合計の幅寸法Ｗ１の半分又は略半分の位置にすることが好ましい。
【００６８】
これによると、第１及び第２ドア１１，１２を、これらのドア１１，１２が図４及び図５で示されている下枠４に対して直角又は略直角になるまで開き回動させることができるようになり、このように第１及び第２ドア１１，１２が下枠４に対して直角又は略直角になるまで開き回動したときには、これらのドア１１，１２は側枠５に近づくため、ドア枠２の内側の開口部７の開口幅は大きくなり、これにより、空間Ｂ側から空間Ａ側へ多数の人が同時に移動できるようになる。
【産業上の利用可能性】
【００６９】
本発明は、圧力差が生ずる箇所に設置されるドア装置として利用でき、例えば、防火区画を形成するための防火扉装置として利用することができる。
【符号の説明】
【００７０】
１  差圧用ドア装置
２  ドア枠
７  ドア枠の内側の開口部
１１  第１ドア
１１Ｂ  遮蔽部
１２  第２ドア
１２Ａ  第２ドアにおける第１ドアとは反対側の側端部であって、ラッチ部材が設けられている側端部
１２Ｂ  遮蔽部
１３  回動付勢手段のオートヒンジとなっている第１ヒンジ
１４  回動付勢手段のオートヒンジとなっている第２ヒンジ
１５  操作部材であるドアノブ
１７  ラッチ部材
１８  ラッチ受け部材
３０，４０  ガイド手段
Ａ  高圧領域の空間
Ｂ  低圧領域の空間
Ｓ  隙間
【図１】
2015071863.tif 000003
【図２】
2015071863.tif 000004
【図３】
2015071863.tif 000005
【図４】
2015071863.tif 000006
【図５】
2015071863.tif 000007